(57)【特許請求の範囲】
【請求項１】
ぜんまいばねにより回転し、外周部に電源コードを巻回するコードリールと、前記コードリールに設けられ前記ぜんまいばねを収納する収納部とを備えたコード巻取装置において、前記収納部の底部を前記ぜんまいばねの回転軸側より前記ぜんまいばねの付勢方向に向かって深部方向に傾斜させたことを特徴とするコード巻取装置。
【請求項２】
ぜんまいばねにより回転し、外周部に電源コードを巻回するコードリールと、前記コードリールに設けられ前記ぜんまいばねを収納する収納部とを備えたコード巻取装置において、前記収納部の底部に、前記ぜんまいばねの回転軸側より前記ぜんまいばねの付勢方向に向かって深部方向に傾斜させた放射状のリブを設けたことを特徴とするコード巻取装置。
【発明の詳細な説明】
【０００１】
【発明の属する技術分野】
この発明は、電気機器に用いられるコード巻取装置に関するものである。
【０００２】
【従来の技術】
図５は、例えば特開平８−５９９０９４号公報に開示されている従来のコード巻取装置を示す分解斜視図、図６はコード巻取装置を示す側面図、図７はローラーによるブレーキ効果を示す側面図である。図において、１はプラグ２を有する電源コード３を巻き取るコードリールであり、中央に回転軸４が貫通する回転軸穴５を設け、端部には電源コード３を巻き取るための間隔を開けた二重のフランジ部６ａ、６ｂを備えている。７はコードリール１を電源コード３の巻込み方向に回転させるぜんまいばねであり、一端が回転軸４に設けられたばね固定軸４ａに固定され、他端がフランジ部６ａに設けられたばね固定リブ８に固定される。９はぜんまいばね７の浮き上がりを防止するためのバネ押さえ板であり、コードリール１にビス（図示せず）で固定される。１０はコードリール１を回転自在に支持するための回転軸４を挿入保持する軸穴１１を有する固定板、１２は固定板１０に設けたブレーキ部材であり、ゴム等の軟質材からなるローラー１３と、ローラー１３を回転自在に支持するブレーキレバー１４と、ローラー１３をコードリール１の一方のフランジ部６ｂの外周面に圧接するよう付勢するブレーキレバースプリング１５とから構成されている。ローラー１３は固定板１０の周縁に設けたフランジ部１６とコードリール１のフランジ部６ｂの外周面１８とにより形成されるくさび型の隙間１７に挟持されてブレーキ力を生ずる。１９は固定板１０に設けた一対の接点板で、コードリール１に設けられた一対の接点リング（図示せず）に圧接される。
【０００３】
次に、動作について説明する。電源コード３を引き出すと、コードリール１は時計回りで回転する。このとき、ローラー１３はくさび型の隙間から抜け出る方向に移動し、コードリール１に対するブレーキ効果は生じない。また、ぜんまいばね７は電源コード３を引き出す度に巻かれてゆき、付勢力が蓄えられる。電源コード３を必要な長さに引き出したところで、電源コード３の引き出しを止めると、ブレーキレバースプリング１５によって、ローラー１３は外周面１８の方向に圧接されて、同時にぜんまいばね７付勢力によってコードリール１が若干反時計回りに回転するから、ローラー１３が固定板１０のフランジ部１６と外周面１８の間に形成されるくさび型の隙間１７に強制挟持されて、外周面１８への接触抵抗による食い込みでコードリール１の回転を止める（図７参照）。
【０００４】
次に、引き出した電源コード３をコードリール１に巻き取る場合には、図６に示すようなブレーキレバー１４を解除する解除力Ｆを加えると、くさび型の隙間１７に強制挟持されていたローラー１３は強制挟持状態から解放される。このため蓄えられていたぜんまいばね７の付勢力によりコードリール１が反時計回りに回転し、引き出されていた電源コード３が巻き取られる。
【０００５】
引き出した電源コード３の長さを再度調整したいような場合、引き出されている電源コード３の長さを短くするときは、上記の巻き取り動作と同様にブレーキレバー１４に解除力Ｆを加えてコードリール１を回転させ、所定長さになったら解除力Ｆを加えることを止める。解除力Ｆを加えることを止めると、ローラー１３がくさび型の隙間１７に強制挟持され、コードリール１の回転が止まり、電源コード３の巻き取りも止まる。
【０００６】
【発明が解決しようとする課題】
最近、掃除機は大入力化が進み、それに対応するようにコード内素線の径が大きくなり電源コードの重量も増し、電源コードを巻き取る際に必要な力が増してぜんまいばねをより力の強いものにしていた。そのため、コードリール全体の重量アップ、コストアップとなっていた。また、ぜんまいばねを力の強いものに変更するため、電源コードを引き出した際に蓄えられる付勢力も増し、電源コードを巻き取るときに電源コードが長く引き出されているときは、電源コードの重量と床面との摩擦により、さほど巻き取りスピードは速くないが、巻き取り終了間近になると床面との摩擦等が少なくなり巻取りスピードが極端に速くなる。そして、電源コードの先端のプラグが飛び跳ねて床や掃除機本体に傷を付けてしまうおそれがあった。また、掃除機の特性上、常に塵埃等の中で使用されるため、フランジ部内のぜんまいばねが設置されるべき収納部に塵埃がつまり、ぜんまいばねの自由な動作が困難になり電源コードの巻取り性が低下してしまうおそれがあった。
【０００７】
この発明は上記のような課題を解決するものであり、操作性を向上させ、かつ長寿命のコード巻取装置を得ることを目的とする。
【０００８】
【課題を解決するための手段】
この発明に係るコード巻取装置は、ぜんまいばねにより回転し、外周部に電源コードを巻回するコードリールと、前記コードリールに設けられ前記ぜんまいばねを収納する収納部とを備えたものにおいて、前記収納部の底部を前記ぜんまいばねの回転軸側より前記ぜんまいばねの付勢方向に向かって深部方向に傾斜させたものである。
【０００９】
また、前記収納部の底部に、前記ぜんまいばねの回転軸側より前記ぜんまいばねの付勢方向に向かって深部方向に傾斜させた放射状のリブを設けたものである。
【００１０】
【発明の実施の形態】
実施の形態１．
図１はこの発明の実施の形態１を示すコード巻取装置の側面図、図２は図１のＡ―Ａ断面図である。図において、１〜１９までは従来と同じ構成であり、説明を省略する。２０はコードリール１の中央部に設けられたぜんまいばね収納部、２１はぜんまいばね収納部２０の底部であり、回転軸４側より円周方向（ばね固定リブ８側、ぜんまいばね７の付勢方向）に向かって深部方向に傾斜している。底部２１が傾斜していることにより、電源コード３が引き出され巻き取られる際、ぜんまいばね７は回転軸４側より円周方向に広がるが、ぜんまいばね７が広がるにつれ、ぜんまいばね７の収納可能な部分（高さ方向）が広くなるので、ぜんまいばね７にかかる摩擦による抵抗が少なくなる。
【００１１】
電源コード３の引き出しや巻き取りの動作は従来と同様であるので、詳細は省略する。ぜんまいばね収納部２０の底部２１が中心部から外側に向かって深部方向に傾斜していることにより、ぜんまいばね７が広がるにつれ、収納可能な部分が広くなるので、ぜんまいばね７にかかる摩擦抵抗が少なくなる。つまり、電源コード３が引き出され、ぜんまいばね７の付勢力が高まっているときは、ぜんまいばね７と底部２１との摩擦抵抗が大きく、電源コード３が巻き取られ、ぜんまいばね７の付勢力が弱まったときには、底部２１との摩擦抵抗が少なくなるため、電源コード３を巻き取る際、巻き始めと巻き終わりの巻き取りスピードをほぼ一定に保つことができる。この構成により、従来のように力の強いぜんまいばねを用いることなく、最後までスムーズに電源コード３を巻き取ることが可能となる。
【００１２】
実施の形態２．
図３はこの発明の実施の形態２を示すコード巻取装置の側面図、図４は図３のＢ―Ｂ断面図である。図において、１〜１９までは従来と同じ構成であり、説明を省略する。また、２０はコードリール１の中央部に設けられたぜんまいばね収納部、２１ａはぜんまいばね収納部２０の底部であり、従来の構成同様、水平にられている。２２は底部２１ａに放射状に立設され、上部が回転軸４側から外周方向に向かって深部方向に傾斜しているリブである。リブ２２上部が傾斜していることにより、実施の形態１同様、電源コード３が引き出され巻き取られる際、ぜんまいばね７は軸中心より円周方向に広がるが、ぜんまいばね７が広がるにつれ、ぜんまいばね７の収納可能な部分が広くなるので、ぜんまいばね７にかかる摩擦による抵抗が少なくなる。
【００１３】
実施の形態２によれば、ぜんまいばね収納部２０の底部２１ａに外周方向に向かい深部方向に傾斜している複数のリブ２２を形成したので、実施の形態１と同様の効果がある。また、特に電気掃除機に使用した場合、塵芥等がコード巻取装置内に進入する可能性があるが、ぜんまいばね収納部２０底部２１ａが複数のリブ２２によって構成されているので、進入してきた塵芥等がリブ２２の間に構成されるポケットに落ちるので、ぜんまいばね７の動作を妨害することを防ぐことができる。これにより、コードリール１の寿命をのばすことができる。
【００１４】
なお、ぜんまいばね収納部底部、またはリブ上部の傾斜角は、これに限ったものではなく、軸中心から外周に向かって傾斜角を変化させたり、段部を設けるようにしてもよい。
【００１５】
【発明の効果】
以上のように、この発明は、収納部の底部をぜんまいばねの回転軸側よりぜんまいばねの付勢方向に向かって深部方向に傾斜させたので、電源コードが引き出され、ぜんまいばねの付勢力が高まっているときは、ぜんまいばねと底部との摩擦抵抗が大きく、電源コードが巻き取られ、ぜんまいばねの付勢力が弱まったときには、底部との摩擦抵抗が少なくなるため、電源コードを巻き取る際、巻き始めと巻き終わりの巻き取りスピードをほぼ一定に保つことができ、コードリールが常に安定した状態でコードの巻き取り力を得ることができる。
【００１６】
また、収納部の底部に、ぜんまいばねの回転軸側よりぜんまいばねの付勢方向に向かって深部方向に傾斜させた放射状のリブを設けたので、電源コードを巻き取る際、巻き始めと巻き終わりの巻き取りスピードをほぼ一定に保つことができ、コードリールが常に安定した状態でコードの巻き取り力を得ることができるだけでなく、コードリールを塵埃等から守り、寿命を延ばすことができる。
【図面の簡単な説明】
【図１】  この発明の実施の形態１を示すコード巻取装置の側面図である。
【図２】  図１のＡ―Ａ断面図である。
【図３】  この発明の実施の形態２を示すコード巻取装置の側面図である。
【図４】  図３のＢ―Ｂ断面図である。
【図５】  従来のコード巻取装置を示す分解斜視図である。
【図６】  従来のコード巻取装置を示す側面図である。
【図７】  この発明の実施の形態２を示す
【符号の説明】
１  コードリール、２  電源コード、３  プラグ、４  回転軸、
４ａ  固定軸、５  回転軸穴、６ａ、６ｂ  フランジ部、７  ぜんまいばね、
８  固定リブ、９  バネ押さえ板、１０  固定板、１１  軸穴、
１２  ブレーキ部材、１３  ローラ、１４  ブレーキレバー、
１５  ブレーキレバースプリング、１６  フランジ部、１７  隙間、
１８  外周面、１９  接点板、２０  ぜんまいばね収納部、２１  底部、
２２  リブ。
【図１】
0003766925.tif 000002
【図２】
0003766925.tif 000003
【図３】
0003766925.tif 000004
【図４】
0003766925.tif 000005
【図５】
0003766925.tif 000006
【図６】
0003766925.tif 000007
【図７】
0003766925.tif 000008